(57)【要約】本発明は、四角形ベーラーに関し、従来のプランジャー方式の四角形ベーラーとは違う構造になって、生産性に優れ、ベールチャンバー内に干し草を効果的に圧縮及び梱包することができる四角形ベーラーに関するものであって、フレーム；前記フレーム上に前後に開放するように形成され、断面が四角形であるベールチャンバー；前記ベールチャンバーの後側上部に備えられ、梱包紐を結んで切断する結び目部材と、前記ベールチャンバーの後側下部に上下に角運動するように備えられ、梱包紐を前記結び目部材に案内するニードル部材とを含んでなる結び目部；前記ベールチャンバーの前側内部空間に干し草をピックアップして供給するピックアップ部；及び前記ベールチャンバーの前側上部に回転可能に取り付けられ、回転下降時、前記ベールチャンバーの内部空間にピックアップされて供給された干し草を前記結び目部材と前記ニードル部材の間の梱包紐が位置する後側に押して圧縮するレーキ部；を含んでなることを特徴とする。【選択図】図１
2017535287.tif 000002
【特許請求の範囲】
【請求項１】
フレーム；
前記フレーム上に前後に開放するように形成され、断面が四角形であるベールチャンバー；
前記ベールチャンバーの後側上部に備えられ、梱包紐を結んで切断する結び目部材と、前記ベールチャンバーの後側下部に上下に角運動するように備えられ、梱包紐を前記結び目部材に案内するニードル部材とを含んでなる結び目部；
前記ベールチャンバーの前側内部空間に干し草をピックアップして供給するピックアップ部；
前記ベールチャンバーの前側上部に回転可能に取り付けられ、回転下降時、前記ベールチャンバーの内部空間にピックアップされて供給された干し草を前記結び目部材と前記ニードル部材の間の梱包紐が位置する後側に押して圧縮するレーキ部；及び
前記レーキ部によって後側に押されて圧縮された干し草が前記レーキ部の回転上昇時に膨らんで復元することを防止し、さらに圧縮する圧縮アーム部；を含んでなることを特徴とする、四角形ベーラー。
【請求項２】
前記圧縮アーム部は前記レーキ部と前記ニードル部材の間の前記ベールチャンバーの下側に上下に角運動するように備えられることを特徴とする、請求項１に記載の四角形ベーラー。
【請求項３】
前記圧縮アーム部は、前記レーキ部の回転上昇時、前記ベールチャンバーの下側から前記ベールチャンバーの内部空間に角運動しながら上昇し、前記レーキ部の回転下降時、前記ベールチャンバーの内部空間で前記ベールチャンバーの下側に角運動しながら下降することを特徴とする、請求項２に記載の四角形ベーラー。
【請求項４】
フレーム；
前記フレーム上に前後に開放するように形成され、断面が四角形であるベールチャンバー；
前記ベールチャンバーの後側上部に備えられ、梱包紐を結んで切断する結び目部材と、前記ベールチャンバーの後側下部に上下に角運動するように備えられ、梱包紐を前記結び目部材に案内するニードル部材とを含んでなる結び目部；
前記ベールチャンバーの前側内部空間に干し草をピックアップして供給するピックアップ部；及び
前記ベールチャンバーの前側上部に回転可能に取り付けられ、回転下降時、前記ベールチャンバーの内部空間にピックアップされて供給された干し草を前記結び目部材と前記ニードル部材の間の梱包紐が位置する後側に押して圧縮するレーキ部；を含んでなり、
前記レーキ部は、前記ベールチャンバーの上側に備えられ、駆動源によって回転する駆動軸と、前記駆動軸の端部に垂直方向に延設される支持部と、上端部が前記支持部に回転可能に固定されるレーキ部材と、前記レーキ部材の上端部に上側に延設される延長部材と、前記駆動軸の前方に配置される回転軸と、下端部が前記回転軸に回転可能に固定され上端部が前記延長部材の上端部に軸設される補助部材とを含んでなることを特徴とする、四角形ベーラー。
【発明の詳細な説明】
【技術分野】
【０００１】
本発明は、四角形ベーラー（ｂａｌｅｒ）に関し、従来のプランジャー方式の四角形ベーラーとは違う構造になって、生産性に優れ、ベールチャンバー内に干し草を効果的に圧縮及び梱包することができる四角形ベーラーに関する。
【背景技術】
【０００２】
通常のベーラーはトラクターのような農機械の後方に連結され、牽引されながら、刈草されて地面に羅列されるか飛散している干し草（稲わらや飼料用草木、収穫後のトウモロコシ茎など）を収去して積み重ね（Ｓｔａｃｋ）に作る作業を行うものである。
【０００３】
このようなベーラーは干し草を収穫して円筒状の積み重ねに作る円形ベーラーと干し草を収穫して四角形（六面体）の積み重ねに作る四角形ベーラーに区分され、特に円形ベーラーの場合には、家畜の飼料として使えるようにするために円筒状の積み重ねの外部をラップで密封して水分や異物の流入を遮断するようにラッピング機能を並行するようにしている。
【０００４】
四角形ベーラーの場合にも家畜の飼料用に使えるように干し草を四角形の積み重ねに作っているが、トウモロコシ茎などは作物の穀粒の収穫が終わった後に残る太くて硬いし長いものであるから、円形ベーラーによっては作業が現実的に不可能であり、四角形ベーラーを用いても実質的に作業が不可能となる。
【０００５】
従来の四角形ベーラーは、トラクターのような農機械によって牽引されるようにフレームの前方に牽引部が備えられ、前記牽引部には農機械の動力を受けるための動力伝達部が一緒に備えられる。フレームの前方一側には地面と接触しないようにピックアップ部が備えられ、動力によって回転しながら干し草を持ち上げるようにし、前記ピックアップ部によって持ち上げられた干し草はピックアップ部の後方に取り付けられた移送部によって所定の大きさに切断されてベールチャンバーに移送される。前記ベールチャンバーに移送された干し草は動力によって往復動するプランジャーによって四角形（六面体）に圧縮され、干し草の圧縮密度はベールチャンバー内にあるテンションバー（Ｔｅｎｓｉｏｎ  Ｂａｒ）によって調節され、ベール長測定ホイールによってベールの長さが調節され、ベールが一定の長さ（大きさ）に成形されれば、内部に備えられた結束装置によって結束される。このように結束する時には結束状態が解けないようにする結び目形成装置（Ｔｗｉｎｅ  Ｋｎｏｔｔｅｒ）があり、結束された積み重ねはベールチャンバーの後方に順に押し出され、ベールシュート（Ｂａｌｅ  Ｃｈｕｔｅ）を通して外部に排出されるように構成されている。
【発明の概要】
【発明が解決しようとする課題】
【０００６】
前述のような問題点を解決するために、本発明は、従来のプランジャー方式の四角形ベーラーとは違う構造になって、生産性に優れ、ベールチャンバー内に干し草を効果的に圧縮及び梱包することができる四角形ベーラーを提供することにその目的がある。
【課題を解決するための手段】
【０００７】
このような目的を達成するための本発明は、
フレーム；
前記フレーム上に前後に開放するように形成され、断面が四角形であるベールチャンバー；
前記ベールチャンバーの後側上部に備えられ、梱包紐を結んで切断する結び目部材と、前記ベールチャンバーの後側下部に上下に角運動するように備えられ、梱包紐を前記結び目部材に案内するニードル部材とを含んでなる結び目部；
前記ベールチャンバーの前側内部空間に干し草をピックアップして供給するピックアップ部；及び
前記ベールチャンバーの前側上部に回転可能に取り付けられ、回転下降時、前記ベールチャンバーの内部空間にピックアップされて供給された干し草を前記結び目部材と前記ニードル部材の間の梱包紐が位置する後側に押して圧縮するレーキ部；を含んでなることを特徴とする四角形ベーラーを提供する。
【０００８】
特に、前記レーキ部によって後側に押されて圧縮された干し草が前記レーキ部の回転上昇時に膨らんで復元することを防止し、さらに圧縮する圧縮アーム部が備えられることがよく、前記圧縮アーム部は前記レーキ部と前記ニードル部材の間の前記ベールチャンバーの下側に上下に角運動するように備えられることが好ましい。
【０００９】
そして、前記圧縮アーム部は、前記レーキ部の回転上昇時、前記ベールチャンバーの下側から前記ベールチャンバーの内部空間に角運動しながら上昇し、前記レーキ部の回転下降時、前記ベールチャンバーの内部空間で前記ベールチャンバーの下側に角運動しながら下降することがよい。
【００１０】
また、前記レーキ部は、前記ベールチャンバーの上側に備えられ、駆動源によって回転する駆動軸と、前記駆動軸の端部に垂直方向に延設される支持部と、上端部が前記支持部に回転可能に固定されるレーキ部材と、前記レーキ部材の上端部に上側に延設される延長部材と、前記駆動軸の前方に配置される回転軸と、下端部が前記回転軸に回転可能に固定され上端部が前記延長部材の上端部に軸設される補助部材とを含んでなることが好ましい。
【発明の効果】
【００１１】
本発明の四角形ベーラーは従来のプランジャー方式の四角形ベーラーとは違う構造になって、構造が簡単であり、生産性に優れ、ベールチャンバー内に干し草を効果的に圧縮及び梱包することができる効果がある。
【図面の簡単な説明】
【００１２】
【図１】本発明の四角形ベーラーを概略的に示す側面図である。
【図２】レーキを概略的に示す部分斜視図である。
【図３】ピックアップ部によって干し草がベールチャンバーの内部空間にピックアップされた状態を示す図である。
【図４】レーキ部によって干し草が圧縮される状態を示す図である。
【図５】レーキ部によって干し草が圧縮される状態を示す図である。
【図６】圧縮アーム部が上昇してレーキ部によって圧縮された干し草の状態を維持している状態を示す図である。
【図７】梱包紐によって結束された干し草を概略的に示す図である。
【発明を実施するための形態】
【００１３】
以下、本発明の四角形ベーラーの実施例を図面に基づいて説明すると次のようであり、本発明の権利範囲は下記の実施例に限定されるものではない。
【００１４】
図１は本発明の四角形ベーラーを概略的に示す側面図、図２はレーキを概略的に示す部分斜視図である。
【００１５】
本発明の四角形ベーラーは、図１のように、大別して、フレーム１０、ベールチャンバー２０、ピックアップ部３０、レーキ部４０及び結び目部５０を含んでなる。
【００１６】
前記フレーム１０には、耕運機、トラクターなどの農機械と連結することができるように前側に連結部が備えられ、さらに前記農機械の動力を受ける動力伝達部が備えられる。前記連結部及び前記動力伝達部は一般的なベーラーの構成であるので、その詳細な説明は省略する。
【００１７】
前記ベールチャンバー２０は、図１及び図２のように、前記フレーム１０上に前後に開放するように形成され、断面が四角形に形成される。
【００１８】
そして、前記ベールチャンバー２０の前側下部にはピックアップ部３０が配置される。前記ピックアップ部３０は地面に接触しないように干し草を持ち上げて前記ベールチャンバー２０の前側内部空間に供給する。
【００１９】
前記ピックアップ部３０によって前記ベールチャンバー２０の前側内部空間に供給された干し草は、従来の四角形ベーラーのプランジャーの代わりに、前記レーキ部４０によって前記ベールチャンバー２０の後方に押されながら圧縮される。
【００２０】
前記レーキ部４０は、図２のように、駆動軸４１０、支持部４２０、レーキ部材４３０、延長部材４４０、回転軸４５０及び補助部材４６０を含んでなる。
【００２１】
前記駆動軸４１０は前記ベールチャンバー２０の上側に回転可能に配置され、駆動源、つまり前記農機械の動力によって回転する。前記駆動軸４１０は反時計方向に回転する。
【００２２】
前記支持部４２０は前記駆動軸４１０の端部に垂直方向に延設される。
【００２３】
そして、前記レーキ部材４３０は前記ベールチャンバー２０の前側内部空間に供給された干し草を前記ベールチャンバー２０の後側に押すためのもので、上端部が前記支持部４２０に回転可能に固定されるように設置される。前記レーキ部材４３０の上端部には上側に伸びた延長部材４４０が形成される。前記駆動軸４１０の前方である前記ベールチャンバー２０の上側に回転軸４５０が回転可能に取り付けられ、下端部が前記回転軸４５０に回転可能に固定され上端部が前記延長部材４４０の上端部に軸設される補助部材４６０が備えられる。前記駆動軸４１０の回転によって前記補助部材４６０によって前記レーキ部材４３０が回転しながら下降するとき、前記ベールチャンバー２０の内部空間に入り、前記ベールチャンバー２０の内部空間にピックアップされて供給される干し草を後側に押して圧縮してから回転しながら上昇するようになる。
【００２４】
前記レーキ部材４３０が回転しながら下降するときに前記ベールチャンバー２０の内部空間に入るように、前記ベールチャンバー２０を構成する上板部には前後方向に伸びる挿入スリット２１０が備えられる。
【００２５】
図３はピックアップ部によって干し草がベールチャンバーの内部空間にピックアップされた状態を示す図である。
【００２６】
前記結び目部５０は、前記ベールチャンバー２０の後側上部に備えられ、梱包紐５５０を結んで切断する結び目部材５１０、及び前記ベールチャンバー２０の後側下部に上下に角運動するように備えられ、梱包紐５５０を前記結び目部材５１０に案内するニードル部材５３０を含んでなる。
【００２７】
前記結び目部材５１０は前記ベールチャンバー２０の後側上部に備えられて前記梱包紐５５０を結んで切断するためのもので、従来のベーラーに使われる構成であるので、その詳細な説明は省略する。そして、前記ニードル部材５３０は、前記ベールチャンバー２０の内部空間に干し草が一定量圧縮されれば、上側に角運動して前記梱包紐５５０を前記結び目部材５１０に案内し、前記ニードル部材５３０によって案内された前記梱包紐５５０は前記結び目部材５１０によって結ばれて切断される。
【００２８】
そして、前記レーキ部４０によって後側に押されて圧縮された干し草が前記レーキ部４０の回転上昇時に膨らんで復元することを防止するためにさらに圧縮する圧縮アーム部６０が備えられることが好ましい。
【００２９】
前記圧縮アーム部６０は前記レーキ部４０と前記ニードル部材５３０の間の前記ベールチャンバー２０の下側に上下に角運動するように備えられる。前記圧縮アーム部６０は、前記レーキ部４０の回転上昇時、前記ベールチャンバー２０の下側から前記ベールチャンバー２０の内部空間に角運動しながら上昇する。すなわち、前記レーキ部４０が回転しながら上昇して、前記レーキ部４０によって圧縮された干し草が復元しようとするとき、前記圧縮アーム部６０が上側に角運動しながら上昇することにより、干し草の圧縮状態を維持するとともにさらに圧縮することができる。
【００３０】
そして、前記圧縮アーム部６０は、前記レーキ部４０の回転下降時、前記ベールチャンバー２０の内部空間で前記ベールチャンバー２０の下側に角運動しながら下降する。前記圧縮アーム部６０が前記ベールチャンバー２０の下側に角運動しながら下降することにより、前記レーキ部４０が前記ピックアップ部３０によってピックアップされた干し草を前記ベールチャンバー２０の後側に円滑に押して圧縮することができる。
【００３１】
図４及び図５はレーキ部によって干し草が圧縮される状態を示す図、図６は圧縮アーム部が上昇してレーキ部によって圧縮された干し草の状態を維持している状態を示す図である。
【００３２】
図３のように、前記結び目部材５１０と前記ニードル部材５３０の間に梱包紐５５０が位置し、その状態で前記ピックアップ部３０によって干し草が前記ベールチャンバー２０にピックアップされる。前記レーキ部４０は反時計方向に回転するように構成され、前記圧縮アーム部６０は上下に角運動するように構成され、前記ニードル部材５３０は前記ベールチャンバー２０内に圧縮される干し草の長さを測定し、一定の長さに圧縮されれば上昇するように構成されている。
【００３３】
図３のように、前記レーキ部材４３０が回転して下降する場合、前記圧縮アーム部６０は前記ベールチャンバー２０の下側に下降するようになる。
【００３４】
そして、図４のように、前記レーキ部材４３０が回転しながら下降して、前記ベールチャンバー２０内に供給された干し草１００を後側に押して圧縮するとき、前記圧縮アーム部６０の上下角運動の方向が上昇角運動に変換される。
【００３５】
そして、図５のように、前記レーキ部材４３０が前記ベールチャンバー２０内に供給された干し草１００を押して圧縮した状態で回転上昇するとき、前記圧縮アーム部６０は角運動しながら上昇して、圧縮された干し草１００が復元することを防止するようになる。
【００３６】
また、図６のように、前記レーキ部材４３０が上昇した場合、前記圧縮アーム部６０は最大に角運動しながら上昇して圧縮された干し草が復元することを効果的に防止する。そして、この時に前記ベールチャンバー２０内に一定の幅だけ干し草が圧縮されれば、前記ニードル部材５３０が上昇し、前記ニードル部材５３０が上昇すれば、前記結び目部材５１０が前記ニードル部材５３０の先端に位置して案内される梱包紐５５０を結んで切断することで干し草を結束するようになる。
【００３７】
図７は梱包紐５５０によって結束された干し草１００を概略的に示す図である。
【００３８】
一方、図１では、農機械によって前記動力伝達部に伝達される動力をスプロケット及びチェーンによって前記レーキ部４０、圧縮アーム部６０、ニードル部材５３０及び結び目部材５１０などに伝達したが、これに限定されるものではなく、ギアなどを介して伝達することもできる。
【産業上の利用可能性】
【００３９】
本発明の四角形ベーラーは従来のプランジャー方式の四角形ベーラーとは違う構造になって、構造が簡単であり、生産性に優れ、ベールチャンバー内に干し草を効果的に圧縮及び梱包することができる効果がある。
【図１】
2017535287.tif 000003
【図２】
2017535287.tif 000004
【図３】
2017535287.tif 000005
【図４】
2017535287.tif 000006
【図５】
2017535287.tif 000007
【図６】
2017535287.tif 000008
【図７】
2017535287.tif 000009
【国際調査報告】
2017535287.tif 000010
2017535287.tif 000011
2017535287.tif 000012
2017535287.tif 000013